(57)【要約】【課題】無線通信装置において、初めて他の装置と通信確立を行う場合では、通信相手のＩＤ情報を記憶手段に書き込まなければならないが、そのＩＤ情報が記憶手段に正確に書き込まれてない場合には、再送の頻度が高くなり、駆動電池の消耗度が激しくなる。【解決手段】受信手段１０１と、受信したＩＤ情報を記憶する揮発性メモリ１０２及び不揮発性メモリ１０３と、信号を送信する送信手段１０４と、駆動電力源としての駆動電力手段１０５とを備え、ペアリングにて受信したＩＤ情報が不揮発性メモリ１０３に正しく記憶されていれば送信手段１０４にてＩＤ受信完了信号を送信し、正しく記憶できていなければ受信未完であることを報知しないことにより、ＩＤ情報を記憶手段に確実に記憶し、電池消耗を抑制することができる。【選択図】図２
2008028495.tif 000002
【特許請求の範囲】
【請求項１】
通信を行う装置を特定するＩＤ情報を受信する受信手段と、前記受信手段により受信したＩＤ情報を記憶する揮発性メモリ及び不揮発性メモリと、前記通信を行う装置に対して信号を送信する送信手段と、駆動電力源としての駆動電力手段とを備え、前記ＩＤ情報により特定される装置と初めて通信確立を行う場合において、前記受信手段がＩＤ情報を受信したとき、前記ＩＤ情報を前記揮発性メモリと不揮発性メモリとへ記憶し、前記揮発性メモリに記憶されたＩＤ情報と前記不揮発性メモリに記憶されたＩＤ情報とを比較し一致していれば前記送信手段を用いて前記ＩＤ情報により特定される装置へＩＤ受信完了信号を送信し、一致していなければ前記ＩＤ情報により特定される装置に対して受信未完であることを報知しないことを特徴とする無線通信装置。
【発明の詳細な説明】
【技術分野】
【０００１】
本発明は無線通信装置に関するものであり、特に無線通信を確立するための制御に関するものである。
【背景技術】
【０００２】
従来、この種の無線通信装置は携帯電話との間で無線通信を行うことによって、無線通信装置と携帯電話とが一定距離以上離れて受信レベルが低下したときに、携帯電話の機能を使用できなくなるようにロックする（例えば、電源をＯＦＦにした後にボタンからの操作だけでは電源がＯＮできないようにして、携帯電話の持ち主以外の人物が容易に操作できないようにすること）とともに、携帯電話の持ち主に対して一定距離以上離れた旨を報知して、置き忘れや盗難を防止していた（例えば、特許文献１参照）。
【特許文献１】特開平１１−０８８４９９号公報
【発明の開示】
【発明が解決しようとする課題】
【０００３】
ところで、前記従来の構成において、無線通信装置と携帯電話との間で無線通信を行うためには、無線通信装置を特定するＩＤ情報及び携帯電話を特定するＩＤ情報を通信の事前にやり取りし、それぞれが通信相手となる装置を特定するＩＤ情報を保持・記憶しておかなければならない。
【０００４】
このような通信手順は一般にペアリングと呼ばれており、例えば特開平４−１５１９４２号公報に記載されているような処理手順である。具体的には、まず通信相手となる装置から送信されるＩＤ情報を受信するとともに、受信したＩＤ情報とＲＯＭに予め記憶されているＩＤ情報とを比較して一致しているか否かをチェックしている。
【０００５】
しかしながら、上記文献（特開平４−１５１９４２号）は、ＲＯＭにＩＤ情報が予め記憶されている場合を想定しているのみで、ＩＤ情報を不揮発性メモリに書き込む点については記載されていない。上記文献（特開平１１−０８８４９９号）に記載されたような通信システム上では、無線通信装置は携帯可能であるとともにポケットに収納可能な程度の大きさであるため、小型なボタン電池が電力源として使用されている。そして、無線通信装置にかかる振動が激しい場合や、ボタン電池の電力が残りわずかであるとき、不意に電源を切ってしまったときには、ＩＤ情報が記憶手段に正確に書き込まれない可能性が生じてくる。そして、一度不正確なＩＤ情報が書き込まれてしまうと、次に電源を入りにして不揮発性メモリに記憶されたＩＤ情報を読み出しても無線通信が正確に行えなくなり、再送する頻度が大幅に増加してしまい、電力消耗が激しくなる。また、ペアリング時に前記ＩＤ情報により特定される装置に対して受信未完であることを報知すると送信する頻度が増加してしまい、電力を消耗してしまう。
【０００６】
本発明は、ＩＤ情報により特定される装置と初めて通信確立を行う場合において、ＩＤ情報を記憶手段に確実に記憶し、ペアリングにおける電池消耗を抑制するものである。
【課題を解決するための手段】
【０００７】
前記従来の課題を解決するために、本発明の無線通信装置は、ＩＤ情報により特定される装置と初めて通信確立を行う場合において、受信手段がＩＤ情報を受信したとき、ＩＤ情報を揮発性メモリと不揮発性メモリとへ記憶し、揮発性メモリに記憶されたＩＤ情報と不揮発性メモリに記憶されたＩＤ情報とを比較し、一致していれば受信手段により受信したＩＤ情報を不揮発性メモリに記憶するとともに送信手段を用いてＩＤ情報により特定さ
れる装置へＩＤ受信完了信号を送信し一致していなければＩＤ情報により特定される装置に対して受信未完であることを報知しないことを特徴とするものである。
【０００８】
これによれば、ＩＤ情報により特定される装置と初めて通信確立を行う場合において、ＩＤ情報を記憶手段に確実に記憶し、電池消耗を抑制することができる。
【発明の効果】
【０００９】
本発明の無線通信装置によれば、ＩＤ情報により特定される装置と初めて通信確立を行う場合において、ＩＤ情報を記憶手段に確実に記憶し、電池消耗を抑制することができる。
【発明を実施するための最良の形態】
【００１０】
第１の発明は、無線通信装置において、通信を行う装置を特定するＩＤ情報を受信する受信手段と、受信手段により受信したＩＤ情報を記憶する揮発性メモリ及び不揮発性メモリと、通信を行う装置に対して信号を送信する送信手段とを備え、ＩＤ情報により特定される装置と初めて通信確立を行う場合において、受信手段がＩＤ情報を受信したとき、ＩＤ情報を揮発性メモリと不揮発性メモリとへ記憶し、揮発性メモリに記憶されたＩＤ情報と不揮発性メモリに記憶されたＩＤ情報とを比較し一致していれば送信手段を用いてＩＤ情報により特定される装置へＩＤ受信完了信号を送信し、一致していなければＩＤ情報により特定される装置に対して受信未完であることを報知しないようにしたものである。
【００１１】
これによれば、ＩＤ情報により特定される装置と初めて通信確立を行う場合において、ＩＤ情報を記憶手段に確実に記憶し、電池消耗を抑制することができる。
【００１２】
以下、本発明の実施の形態について、図面を参照しながら説明する。なお、本実施の形態によって本発明が限定されるものではない。
【００１３】
（実施の形態）
図１は、本発明の実施の形態におけるシステム構成図であり、無線通信装置１００と無線通信を行う本体側装置２００により構成されている。
【００１４】
無線通信装置１００は、例えばカード形式などの小型でポケットにも入るような携帯可能なキーである。また、本体側装置２００は例えば携帯電話あって、無線通信装置１００との通信が一定距離以上離れて受信レベルが低下したときに、本体側装置２００の機能を使用できなくなるようにロックする。ここでいうロックとは、具体的には本体側装置２００の電源をＯＦＦにした後にボタンからの操作だけでは電源がＯＮできないようにして、本体側装置２００の持ち主以外の人物が容易に操作できないようにすることである。また本体側装置２００をロックするとともに、無線通信装置１００は本体側装置２００の持ち主に対して一定距離以上離れた旨をブザーなどの方法により報知して、置き忘れや盗難を防止している。
【００１５】
図２は、無線通信装置１００の構成図を示すものであり、アンテナを介して無線通信を行う無線通信装置を特定するＩＤ情報を受信する受信手段１０１と、受信手段１０１により受信したＩＤ情報を一時的に記憶する揮発性メモリ１０２、受信手段１０１により受信したＩＤ情報を記憶し電源を切っても記憶内容を保持することができる不揮発性メモリ１０３、通信を行う無線通信装置に対して信号を送信する送信手段１０４及び駆動電力源としての駆動電力手段１０５を備え、駆動電力手段１０５は各構成に電源を供給している。
【００１６】
なお、不揮発性メモリ１０３は例えばＥＥＰＲＯＭで構成されており、また駆動電力手段１０５は小型ボタン電池などで構成される。
【００１７】
以上のように構成された無線通信装置１００及び本体側装置２００について、以下図３とともにその動作、作用を説明する。
【００１８】
図３は、無線通信装置１００と本体側装置２００との通信確立（ペアリング）時の制御フロー動作を示すフロー図である。まず、無線通信装置１００および本体側装置２００をペアリングモードにする（Ｓ３０１）。本実施の形態では、無線通信装置１００は電源を投入すると所定時間ペアリングモードとなる。また、本体側装置２００は外部からの入力を受け付けるボタンのような操作部からペアリング開始指示を受けると所定時間ペアリングモードとなる。
【００１９】
次に無線通信装置は、通信相手を探すためにサーチ信号を送信する（Ｓ３０２）。本体側装置はサーチ信号を受信すると（Ｓ３０３）、ペアリング１を送信する（Ｓ３０４）。無線通信装置はペアリング１を受信すると（Ｓ３０５）、自己のＩＤ情報である無線通信装置ＩＤ情報を含むペアリング１応答を送信する（Ｓ３０６）。そして、本体側装置はペアリング１応答を受信すると（Ｓ３０７）、次に本体側装置のＩＤ情報を含むペアリング２を送信する（Ｓ３０８）。
【００２０】
無線通信装置はペアリング２を受信すると（Ｓ３０９）、本体側装置のＩＤ情報を揮発性メモリと不揮発性メモリに記憶する（Ｓ３１０）。続いて揮発性メモリと不揮発性メモリのＩＤ情報を比較し、不揮発性メモリへ正しく書き込めているか確認を行う（Ｓ３１１）。
【００２１】
Ｓ３１１によって比較した結果が一致すれば、無線通信装置は先ほど記憶した本体側装置のＩＤ情報を含めたペアリング２応答を送信する（Ｓ３１２）。本体側装置はペアリング２応答を受信する（Ｓ３１３）。
【００２２】
そして、Ｓ３１３においてされた受信が「受信待タイムアウト」と呼ばれる所定時間内にされたか否かを確認し（Ｓ３１４）、所定時間内に受信できていれば、ペアリング２応答に含まれているＩＤ情報が自己のＩＤ情報と一致しているかを調べ（Ｓ３１５）、一致していればペアリング成功とし、一致していなければペアリング失敗とする。
【００２３】
また、Ｓ３１４において受信待タイムアウト所定時間内に受信できていないと判断された場合、Ｓ３１５において、ペアリング２応答に含まれているＩＤ情報が自己のＩＤ情報と一致していないと判断された場合は、いずれもペアリング失敗とする。
【００２４】
なお、ペアリング失敗となる場合は、上記以外にＳ３１１で揮発性メモリと不揮発性メモリのＩＤ情報を比較し、不揮発性メモリへ正しく書き込めていないとする場合もある。この場合は、Ｓ３１４において所定時間内にペアリング２応答を受信していないのでペアリング失敗とされる。なお、ペアリング失敗とされたとき、本体側装置２００は液晶画面のような表示部にエラーメッセージを表示し、ユーザーに再度ペアリグを試みるように促す。
【００２５】
以上のように、本実施の形態においてはＩＤ情報により特定される装置と初めて通信確立を行う場合において、受信手段がＩＤ情報を受信したとき、ＩＤ情報を揮発性メモリと不揮発性メモリとへ記憶し、揮発性メモリに記憶されたＩＤ情報と不揮発性メモリに記憶されたＩＤ情報とを比較し、一致していれば送信手段を用いてＩＤ情報により特定される装置へＩＤ受信完了信号を送信し、一致していなければＩＤ情報により特定される装置に対して受信未完であることを報知しないようにすることで、ＩＤ情報により特定される装置と初めて通信確立を行う場合において、ＩＤ情報を記憶手段に確実に記憶し、電池消耗
を抑制することができる。
【産業上の利用可能性】
【００２６】
以上のように、本発明にかかる無線通信装置は、ＩＤ情報により特定される装置と初めて通信確立を行う場合において、ＩＤ情報を記憶手段に確実に記憶し、電池消耗を抑制することができるので、特に送信側と受信側が電池により駆動することが予測される無線通信装置（携帯電話やバッテリー搭載のパソコンなど）に対して適用できる。
【図面の簡単な説明】
【００２７】
【図１】本発明の実施の形態におけるシステム構成図
【図２】本発明の実施の形態における無線通信装置のブロック図
【図３】本発明の実施の形態におけるペアリング処理フロー図
【符号の説明】
【００２８】
１００  無線通信装置
２００  本体側装置
１０１  受信手段
１０２  揮発性メモリ
１０３  不揮発性メモリ
１０４  送信手段
１０５  駆動電力手段
【図１】
2008028495.tif 000003
【図２】
2008028495.tif 000004
【図３】
2008028495.tif 000005